(57)【要約】【課題】ソーラーパネルを複数の単位パネルで構成し、この単位パネルをスライド可能として、ソーラーパネル全体の面積を広げたり狭めたりするができるようにしたことにより、搬送を容易にすると同時に必要な電力を確保できるソーラーパネルを備えた組立て便所を提供しようとするものである。【解決手段】組立て便所の太陽に向かって傾斜した屋上に設置されるソーラーパネルであって、複数枚の単位パネルを高さを異ならせて上記屋上に設置し、少なくとも１枚の単位パネルをスライド可能としてソーラーパネル全体の面積を広げたり狭めたりすることができるようにしたことを特徴とするソーラーパネルを備えた組立て便所。【選択図】          図８
2004204450.tif 000002
【特許請求の範囲】
【請求項１】
組立て便所の太陽に向かって傾斜した屋上に設置されるソーラーパネルであって、複数枚の単位パネルを高さを異ならせて上記屋上に設置し、少なくとも１枚の単位パネルをスライド可能としてソーラーパネル全体の面積を広げたり狭めたりすることができるようにしたことを特徴とするソーラーパネルを備えた組立て便所。
【請求項２】
スライド可能とした複数枚の単位パネルを、固定式の上段単位パネルと、その下部にスライド可能に収納した中段および下段単位パネルで構成し、中段および下段単位パネルを固定式の上段単位パネルの両側に引出し可能としてなる請求項１に記載のソーラーパネルを備えた組立て便所。
【請求項３】
中段および下段単位パネルを固定式の上段単位パネルの両側に引出し可能とするとともに、中段および下段単位パネルを引出す際に、固定式の上段単位パネルと一部重複する位置で引出しを停止させ、中段および下段単位パネルの強度を維持するようにしてなる請求項２に記載のソーラーパネルを備えた組立て便所。
【請求項４】
スライド可能とした複数枚の単位パネルを、組立て便所の太陽に向かって傾斜した屋上に、上下２列に設置してなる請求項１に記載のソーラーパネルを備えた組立て便所。
【発明の詳細な説明】
【０００１】
【発明の属する技術分野】この発明は、一般住宅用から業務用さらに緊急災害用として広く有用な組立て便所に関し、特に複数の便槽を有するように構成された組立て便所の電源として用いられるソーラーパネルの単位パネルをスライド可能として、ソーラーパネル全体の面積を広げたり狭めたりするができるようにしたことにより、搬送を容易にすると同時に必要な電力を確保するようにしたソーラーパネルを備えた組立て便所に関する。
【０００２】ここで、「組立て便所」の用語は、「例えば工場で生産した便所であって、現場に搬送して据え付けるものを意味し、現場で一から施工するものではない便所」を「組立て便所」と通称するのに倣って、「建屋部分とその設備部分を一定の範囲で組み合わせて一体化した便所」の意で使用する。
【０００３】
【従来の技術】従来から工事現場等において糞尿を処理するのに、ＦＲＰ製やアルミ製のハウジング内に便器を設置し、その下部に便槽を内蔵させた簡易便所が用いられている。これらは非常にコンパクトで搬送には特に問題はないが、便槽に溜まった汚物を頻繁に処理することが必要である。
【０００４】そのため近年、おが屑中に糞尿を導き入れて、おが屑及び糞尿ともども攪拌して微生物により分解処理する装置が市販されており、家庭用トイレとして、あるいは各種のイベントなどで臨時に設置される仮設トイレとして、あるいは観光地や登山者向けのものとして利用されている。このタイプの組立て便所は、水を使わずに済むとともに臭わず、しかも糞尿の分解処理物は堆肥や土壌改良材として有効利用することができる。
【０００５】また、上記従来のおが屑を利用するタイプの組立て便所を改良したものとして本発明者等は、天板に糞尿が入る開口部を有するとともに、Ｕ字状断面に形成した便槽と、便槽内に水平状に架設され、モータで駆動される回転軸と、この回転軸に対して所定の間隔で保持したおが屑及び糞尿を撹拌する螺旋状の撹拌部と、Ｕ字状断面のステンレス製便槽の外周に積層した、便槽を所定の温度に加温する発熱線と、便槽内を換気する排気手段等とを備えたものをすでに提案（特願２００１−２３９９９４）している。
【０００６】
【発明が解決しようとする課題】しかしながら、上述のような駆動部を備えた便槽を具備する組立て便所においては、特に上記便槽部分の影響で従来の仮設トイレや組立て便所よりも高さがかなり高くなっている。特に便槽内部に設置した攪拌部の存在により、便器を一定の高さにする必要があった。また、本願のようにソーラーパネルを予め天井（屋根）に設置した状態で輸送するものであるような場合、ソーラーパネルは強風にも耐えられるように屋根に接するように並べて固定してあり、しかもその機能を発揮するためには太陽光に向かってかなりの傾斜角度を必要とするため、上記理由とも相まって組立て便所はその高さを抑えることが難しかった。
したがって、この発明におけるような組立て便所においては、トラック等の搬送車に積載したときに、道路交通法における高さ制限を越えてしまうという問題点があった。
【０００７】こうしたなかで本発明者らは、上記組立て便所の道路交通法における高さ制限を回避する手段について研究開発を重ね、建屋を分割して搬送することができないかについて種々検討してきた。その成果物の一つが特願２００２−２６６３６０により提案した分割構造を備えた組立て便所であって、組立て便所の建屋を、その高さ方向の適宜位置において天井（屋根）および壁を含む建築要素からなる上部建築構造と、壁及び床の建築要素からなる下部建築構造とに斜めに分離し、それぞれをスライド式に分離かつ結合可能に構成したものである。
【０００８】ちなみに、この種の組立て便所においては、投下された糞尿をおが屑と撹拌する方式の便槽の撹拌機構等を駆動する電源としてソーラーパネルが用いられる。しかしながら、複数の便槽を有するように構成された組立て便所においては、従来のソーラーパネルの大きさでは複数の便槽の撹拌機構等を駆動させるために充分な電力を得ることが難しかった。
【０００９】この発明は従来例の問題点を以上の構成を採用して解消したものであり、ソーラーパネルを複数の単位パネルで構成し、この単位パネルをスライド可能として、ソーラーパネル全体の面積を広げたり狭めたりするができるようにしたことにより、搬送を容易にすると同時に必要な電力を確保できるソーラーパネルを備えた組立て便所を提供しようとするものである。
【００１０】
【課題を解決するための手段】すなわち上記課題を解決するためにこの発明のソーラーパネルを備えた組立て便所は、組立て便所の太陽に向かって傾斜した屋上に設置されるソーラーパネルであって、複数枚の単位パネルを高さを異ならせて上記屋上に設置し、少なくとも１枚の単位パネルをスライド可能としてソーラーパネル全体の面積を広げたり狭めたりすることができるようにしたことを特徴とするものである。
【００１１】この発明のソーラーパネルを備えた組立て便所は、上記スライド可能とした複数枚の単位パネルを、固定式の上段単位パネルと、その下部にスライド可能に収納した中段および下段単位パネルで構成し、中段および下段単位パネルを固定式の上段単位パネルの両側に引出し可能としたことをも特徴とするものである。
【００１２】この発明のソーラーパネルを備えた組立て便所は、上記中段および下段単位パネルを固定式の上段単位パネルの両側に引出し可能とするとともに、中段および下段単位パネルを引出す際に、固定式の上段単位パネルと一部重複する位置で引出しを停止させ、中段および下段単位パネルの強度を維持するようにしたことをも特徴とするものである。
【００１３】この発明のソーラーパネルを備えた組立て便所は、上記スライド可能とした複数枚の単位パネルを、組立て便所の太陽に向かって傾斜した屋上に、上下２列に設置したことをも特徴とするものである。
【００１４】この発明は以上のように、ソーラーパネルを複数の単位パネルで構成し、この単位パネルをスライド可能として、ソーラーパネル全体の面積を広げたり狭めたりするができるように構成したので、搬送が極めて容易であると同時に必要な電力を確実に確保できるソーラーパネルを備えた組立て便所を提供することができるようになった。
【００１５】
【発明の実施の形態】以下にこの発明のソーラーパネルを備えた組立て便所の実施の形態を、図面に基いて詳細に説明する。
【００１６】通常（工場出荷時に）、各設備は上部建築構造と下部建築構造とに分けられて設置完了しており、これらを車載輸送して施工場所に搬入し、現地組立てにより構築することができる。したがって、可搬性と仮設性を兼備したものとなっている。
【００１７】図１はソーラーパネルを備えた組立て便所の正面図、図２はその背面図、図３はその左側面図、図４はその右側面図、図５は屋根の部分を外した状態の平面図、図６は天井部分の概略図、図７は上部建築構造と下部建築構造とを組付けた状態の側面図、図８は上部建築構造を下部建築構造上からスライド分割させた状態の側面図、図９はソーラーパネル部分の複数枚の単位パネルをスライド収納して面積を狭めた状態の平面図、図１０は単位パネルをスライド引出しして面積を広げた状態の平面図、図１１は各段の単位パネルを分解して示した端面図、図１２はソーラーパネル部分を日照方向に応じて角度を変えられるようにした状態を示す概略図である。
【００１８】図１ないし図５に示すように、この発明のソーラーパネルを備えた組立て便所１は、従来と同様、床部分３と、外壁部分４と、天井（屋根）部分５とで構成される建屋２を備えており、この建屋２は骨組みは鉄骨構造で、外壁部分４には適宜ログハウス風の木材パネルやサイディングパネル等が組付けられている。
【００１９】そして床部分３上部には図５に示すように、外壁部分４で囲まれた上面の両側にそれぞれ間仕切り６−０で仕切られた踊り場６−１，６−２を備えており、各踊り場６−１，６−２にはステップ７が設けられている。また、各踊り場６−１，６−２の別の側面にはそれぞれの便室８−１，８−２に入るドア９−１，９−２が開閉自在に取付けられている。各便室８−１，８−２はそれぞれアプローチ１１を介して、洋式あるいは和式の便器１２のある区画１３を備えている。これらの設備のない区画１４は制御機器類のための区画であり、１５は外に向かって開閉する上部点検口である。また図６は、天井（屋根）部分５の鉄骨からなる骨組みを示すものであり、２０は天井（屋根）部分５の台座である。
【００２０】他方、床部分３の下部には、上記１対の便器１２に対応して横向きに１対のＵ字形断面の便槽１６が設置されている。このＵ字状断面の便槽１６は、天板１７に糞尿が入る開口部を有しており、便槽１６内には水平状に架設され、モータで駆動される回転軸と、この回転軸に対して所定の間隔で保持たおが屑及び糞尿を撹拌する螺旋状の撹拌部とが組付けられている。なお、Ｕ字状断面のステンレス製便槽１６の外周には、便槽１６を所定の温度に加温する発熱線と、便槽１６内を換気する排気手段等とを備えていることが望ましい。
【００２１】建屋２上部の天井（屋根）部分５には、その上面にソーラーパネル２１がほぼ全面に取り付けられ、太陽光発電によって得られた電力は、床部分３の下部に設置された蓄電池２２に充電される。また、上記天井（屋根）部分５の前後両側には風力発電のための風車２３が建屋２の側壁部分に支持アーム２４を介して取付けた支持ポール２５上に設置されている。この風車２３によって得られた電力も、上記各便槽１６に対応して床部分３の下部に上下2段に設置された蓄電池２２に充電される。したがって、日光があるときには太陽光発電を、曇りや雨のときには風力発電をおこない、得た電力を蓄電池２２に充電してこれを上記モータによる回転軸の駆動や、換気扇のためだけの駆動電力として、照明器具用の電力として適宜利用することができる。これらの電気機器類の作動条件等は、制御機器類のための区画１４に設置した制御盤により設定される。
【００２２】また、建屋２上部の天井（屋根）部分５の下端に設けた排水部分からの雨水を集め、それを手洗水として洗面器に流すための雨水浄化装置３０が取り付けられている。この雨水浄化装置３０は、所定の長さを有して建屋２の壁面に取り付けられ、内部に木炭や竹炭その他の活性炭、プラスチックやセラミック製等の濾材が充填されている。もちろん、その上面には各種素材からなるネット、パンチングメタル等からなるフィルタを搭載しておくことが必要である。そして雨水浄化装置３０の濾過水は、洗面器等に流されて手洗い等に利用されるのである。
【００２３】図９ないし図１１に示すように、建屋２上部の太陽に向かって傾斜した天井（屋根）部分５上面のほぼ全面に取り付けられたソーラーパネル２１は、台座２０上に複数枚の単位パネルを高さを異ならせて設置され、少なくとも１枚の単位パネルをスライド可能とすることにより、ソーラーパネル２１全体の面積を広げたり狭めたりすることができるようになっている。
【００２４】すなわち、スライド可能とした複数枚の単位パネルは、天井（屋根）部分５の台座２０上のほぼ中央に設置した固定式の上段単位パネル２７と、その下部にスライド可能に取り付けた中段および下段単位パネル２８，２９で構成している。そして、中段および下段単位パネル２８，２９を固定式の上段単位パネル２７の両側に引出し可能としてあり、この中段および下段単位パネル２８，２９を図９の収納状態から引出す際に、図１０に示すように固定式の上段単位パネル２７と一部重複する位置で引出しを停止させることにより、中段および下段単位パネル２８，２９の強度を維持するようになっている。
【００２５】上段、中段および下段単位パネル２７，２８，２９のそれぞれは、図１１のように単位パネル本体３０の幅方向の両側にコ字状のフレームが取り付けてあり、上段単位パネル２７は上記フレーム３１の上端に取り付けたアングル材３２に固定されている。また中段単位パネル２８はフレーム３３の中ほどに、下段単位パネル２９はフレーム３４の下部にそれぞれ取り付けられている。そして、上記フレーム３１の両側からフレーム３３，３４をその内側にスライドさせることにより、上段単位パネル２７の下に中段および下段単位パネル２８，２９を収納するのである。
【００２６】このようにしてソーラーパネル２１の単位パネルをスライド可能として、ソーラーパネル２１全体の面積を広げたり狭めたりすることにより、搬送が極めて容易であると同時に必要な電力を確実に確保できるソーラーパネルを備えた組立て便所を提供することが可能となる。
【００２７】なお、スライド可能とした複数枚の上記単位パネルを、組立て便所の太陽に向かって傾斜した天井（屋根）部分５に、上下２列に設置すれば、ソーラーパネル２１をよりコンパクトにすることができ、その搬送や組付け等の取扱いを容易なものとすることができる。
【００２８】図１２はソーラーパネル部分を日照の向きに応じて角度を変えられるようにした状態を示すものである。図では、単位パネル２７，２８，２９を支持する台座２０の下部にヒンジ３５を取付け、台座２０の上部を昇降可能としている。すなわち、モータやエアシリンダ等で支持アーム３６を天井（屋根）部分５から出没させることにより、台座２０の傾斜を日照の向きに応じて変えられるようにしたものである。もちろん、このような角度調整機能としては、種々の機構が適用可能であり、ハンドルでラック＆ピニオンからなる昇降機構を回転させることにより、手動で昇降させるようにしてもよい。
【００２９】以上のように構成された組立て便所１は、図７および図８に示すように、その高さ方向に分割部Ｓを設けて、建屋２を天井（屋根）部分５および外壁部分４の一部の建築要素からなる上部建築構造４１と、外壁部分４の一部および床部分３の建築要素からなる下部建築構造４２とに分割し、それぞれを分離可能で結合可能に構成している。この上部および下部建築構造を分離可能で結合可能に構成するという場合、単に外壁部分４の適宜位置で水平に切断した状態で分離可能としたり、あるいは特開２０００−２２０３１０のような天井部分のみを分離可能とすることが考えられる。しかしながらこの実施例においては、建屋２の外壁部分４を斜めに分断して、天井（屋根）部分５および外壁部分４の一部の建築要素からなる上部建築構造４１と、外壁部分４の一部および床部分３の建築要素からなる下部建築構造４２とに分割している。
【００３０】そして、分離可能で結合可能な上部建築構造４１は下部建築構造４２上を、スライド式に移動するよう構成してある。すなわち、下部建築構造４２の外壁部分上にはレール４３が敷設してあり、上部建築構造４１の外壁部分の下面にはスライダ４４が取り付てある。また、下部建築構造４２の外壁部分の上側端部には巻上げ用ウインチ（図示せず）が取り付けられている。したがって、ワイヤ等を上部建築構造４１の端部に連結し、ワイヤを巻上げ用ウインチをハンドル等で回して上部建築構造４１を牽引することにより、スムーズに上部建築構造４１を下部建築構造４２上の所定の位置までスライドさせることができる。図中４５は上部建築構造４１の下側端部に垂下させた支持脚であり、上部建築構造４１を分離した際に下部建築構造４２で支持される端部とは反対側の端部を支持するためのものである。
【００３１】この発明の組立て便所１は、工場から設置する現場へ搬送する際には、上部建築構造４１を斜めにスライドさせて下部建築構造４２と分離した状態とし、組立て便所１の高さを嵩下げした上、トラック等の搬送車へ積載する。このように組立て便所１を上下に分離して搬送すれば、道路運送上何ら問題を生じることがない。
【００３２】また、設置する現場へ搬送した後、上記巻上げ用ウインチでハンドルで回し、ワイヤで上部建築構造４１を牽引することにより、スムーズに上部建築構造４１を下部建築構造４２の所定の位置までスライドさせるだけで、両者を簡単に結合することができる。この実施例では上部建築構造４１のスライド機構として巻上げ用ウインチを例示し、またそれを手動で巻き上げる例について説明したが、それを電動式としたり、巻上げ用ウインチをラチェット式にして安全性を考慮したり、巻上げ用ウインチに代わる油圧シリンダ等を用いたりすることもできる。
【００３３】上記便器や小便器、便槽、蓄電池、制御盤等の各設備は、通常（工場出荷時に）、上部建築構造４１と下部建築構造４２とに分担して設置完了しており、これらを車載輸送して施工場所に搬入し、現地組立てにより構築することができる。したがって、可搬性と仮設性を兼備したものとなっている。
【００３４】なお、上記便器や小便器、便槽はもちろん下部建築構造４２に設置されるが、蓄電池、制御盤等の各設備を上部建築構造４１と下部建築構造４２のどちらに設置するかは適宜決定することができる。もちろん、設置後の組立て便所１の安定性を考慮すれば、下部建築構造４２に設置しておくことが望ましいことである。なお、ソーラーパネルや風車等は、設置場所で組み立てればよい。
【００３５】
【発明の効果】この発明は以上のようにソーラーパネルを複数の単位パネルで構成し、この単位パネルをスライド可能として、ソーラーパネル全体の面積を広げたり狭めたりするができるようにしたことにより、搬送を容易にすると同時に必要な電力を確保できるソーラーパネルを備えた組立て便所を提供することが可能となった。
【図面の簡単な説明】
【図１】ソーラーパネルを備えた組立て便所の正面図である。
【図２】その背面図である。
【図３】その左側面図である。
【図４】その右側面図である。
【図５】屋根の部分を外した状態の平面図である。
【図６】天井部分の概略図である。
【図７】上部建築構造と下部建築構造とを組付けた状態の側面図
【図８】上部建築構造を下部建築構造上からスライド分割させた状態の側面図
【図９】ソーラーパネル部分の複数枚の単位パネルをスライド収納して面積を狭めた状態の平面図
【図１０】単位パネルをスライド引出しして面積を広げた状態の平面図である。
【図１１】各段の単位パネルを分解して示した端面図である。
【図１２】ソーラーパネル部分を日照方向に応じて角度を変えられるようにした状態を示す概略図である。
【符号の説明】
１  組立て便所
２  建屋
３  床部分
４  外壁部分
５  天井（屋根）部分
６−０  間仕切り
６−１，６−２  踊り場
７  ステップ
８−１，８−２  便室
１１  アプローチ
１２  洋式あるいは和式の便器
１３  区画
１４  設備のない区画
１５  上部点検口
１６  便槽
１７  天板
２０  台座
２１  ソーラーパネル
２２  蓄電池
２３  風車
２４  支持アーム
２５  支持ポール
２６  制御盤
２７  上段単位パネル
２８  中段単位パネル
２９  下段単位パネル
３０  雨水浄化装置
３１  フレーム
３２  アングル材
３３，３４  フレーム
３５  ヒンジ
３６  支持アーム
４１  上部建築構造
４２  下部建築構造
４３  レール
４４  スライダ
４５  支持脚
Ｓ  分割部
【図１】
2004204450.tif 000003
【図２】
2004204450.tif 000004
【図３】
2004204450.tif 000005
【図４】
2004204450.tif 000006
【図５】
2004204450.tif 000007
【図６】
2004204450.tif 000008
【図７】
2004204450.tif 000009
【図８】
2004204450.tif 000010
【図９】
2004204450.tif 000011
【図１０】
2004204450.tif 000012
【図１１】
2004204450.tif 000013
【図１２】
2004204450.tif 000014